(57)【要約】【課題】本発明は、受信レベルに基づいて放送番組を選択するための放送番組選択リストを提供することが可能な放送受信機能付き携帯電話機を提供することを目的とする。【解決手段】本発明は、放送を受信する放送受信機能を有する携帯電話機１００であって、ユーザーから、放送番組の選択条件を受取り、前記選択条件を満たす各放送番組を特定する制御部１０５と、特定された各放送番組を放送する放送局から送信される放送波の受信レベルを測定する電界強度測定部１１２とを備え、前記制御部１０５は、測定された受信レベルに基づいて番組選択リストを作成する。【選択図】 図１
2005323112.tif 000002
【特許請求の範囲】
【請求項１】
放送を受信する放送受信機能を有する携帯電話機であって、
放送番組の選択条件の入力を受取る受取手段と、
前記選択条件を満たす放送番組を特定する特定手段と、
特定された放送番組を放送する放送局から送信される放送波の受信レベルを測定する測定手段と、
測定された受信レベルに基づいて番組選択リストを作成する作成手段と
を備えることを特徴とする携帯電話機。
【請求項２】
前記作成手段は、測定された受信レベルが、複数の閾値との大小関係に基づいて定められた複数の受信レベルのランクのうちのどのランクに該当するかを決定する受信レベルランク決定手段を有し、
前記作成手段は、特定された放送番組と当該放送番組について決定した受信レベルのランクとの対応関係を示す番組選択リストを作成し、
前記携帯電話機は、作成された番組選択リストを表示する表示手段
を備えることを特徴とする携帯電話機。
【請求項３】
前記携帯電話機は、位置情報を監視する位置情報監視手段を備え、
位置情報が変わる毎に、
前記測定手段は、前記受信レベルを測定し、前記受信レベルランク決定手段は、その測定された受信レベルに基づいて、当該受信レベルのランクを決定し、
前記作成手段は、特定された放送番組について受信レベルのランクをその決定されたものに更新して番組選択リストを作成する
ことを特徴とする請求項１又は２記載の携帯電話機。
【請求項４】
前記特定手段は、前記選択条件を満たす放送番組の検索を、各放送局の放送番組を特定する放送番組情報を登録している外部の放送番組検索サーバに依頼する検索依頼手段を有し、
前記特定手段は、依頼に応じて、前記放送番組検索サーバから送信された検索結果に基づいて前記選択条件を満たす放送番組を特定する
ことを特徴とする請求項１〜３の何れかに記載の携帯電話機。
【請求項５】
前記特定手段は、外部から放送番組を特定する放送番組情報を取得する取得手段と、
取得した放送番組情報の中から前記選択条件を満たす放送番組情報を検索する検索手段と
を有し、
前記特定手段は、検索した放送番組情報に基づいて前記選択条件を満たす放送番組を特定する
ことを特徴とする請求項１〜３の何れかに記載の携帯電話機。
【請求項６】
前記選択条件は、選択すべき放送番組の属性又は検索すべき放送時間範囲を特定し、
前記放送番組情報は、各放送局の放送番組の属性と放送時間帯と放送周波数との対応関係を示す情報である
ことを特徴とする請求項１〜５の何れかに記載の携帯電話機。
【請求項７】
前記携帯電話機は、記録媒体と、
前記記録媒体のメモリ空容量を監視する監視手段と、
前記メモリ空容量に基づいて、放送番組の記録可能時間を算出する算出手段と、
特定された放送番組の放送時間が前記記録可能時間を超えるか否かを判定する放送時間判定手段と、
前記記録可能時間を超えていると判定された場合に、当該放送番組を前記番組選択リストの作成対象から除外する除外手段と
を備えることを特徴とする請求項１〜６の何れかに記載の携帯電話機。
【請求項８】
前記携帯電話機は、
電話番号を入力するための番号キーと、
特定された各放送番組の受信指示の入力を、当該放送番組について決定された受信レベルのランクの高い順に優先的に番号が小さい番号キーを、番号の小さい順に割当てるキー割当て手段と、
キー押下時間に応じて番号キーからの入力が電話番号入力であるか、放送番組の受信指示入力であるかを判別するキー入力判別手段と
を備えることを特徴とする請求項１〜７の何れかに記載の携帯電話機。
【請求項９】
前記作成手段は、測定された受信レベルが閾値より大きいか否かを判定する判定手段を有し、
前記作成手段は、特定された放送番組の内、測定された受信レベルが閾値より大きいと判定された放送局の放送番組のみを含む番組選択リストを作成し、
前記携帯電話機は、作成された番組選択リストを表示する表示手段
を備えることを特徴とする請求項１記載の携帯電話機。
【請求項１０】
前記携帯電話機は、位置情報を監視する位置情報監視手段を備え、
位置情報が変わる毎に、
前記測定手段は、前記受信レベルを測定し、前記判定手段は、その測定された受信レベルが閾値より大きいか否かを判定し、
前記作成手段は、直前に作成した番組選択リストを、特定された放送番組の内、その測定された受信レベルが閾値より大きいと判定された放送局の放送番組のみを含む番組選択リストに更新し、
前記表示手段は、更新された番組選択リストを表示する
ことを特徴とする請求項９記載の携帯電話機。
【請求項１１】
前記選択条件は、選択すべき放送番組の属性又は検索すべき放送時間範囲を特定し、
前記特定手段は、各放送局の放送番組の属性と放送時間帯と放送周波数との関係を示す放送番組情報を登録している外部の放送番組検索サーバに、前記選択条件を満たす放送番組情報の検索を依頼する依頼手段と、
前記外部サーバから、検索された前記放送番組情報を取得する取得手段とを有し、
前記特定手段は、前記放送番組情報の示す放送番組を、前記選択条件を満たす放送番組として特定し、
前記作成手段は、特定された放送番組の内、測定された受信レベルが閾値より大きいと判定された放送局の放送番組の属性と放送時間帯と放送周波数との関係を示す放送番組情報を番組選択リストとして作成する
ことを特徴とする請求項９又は１０記載の携帯電話機。
【請求項１２】
前記携帯電話機は、記録媒体と、
前記記録媒体のメモリ空容量を監視する監視手段と、
前記メモリ空容量に基づいて、放送番組の記録可能時間を算出する算出手段と、
特定された放送番組の放送時間が前記記録可能時間を超えるか否かを判定する放送時間判定手段と、
前記記録可能時間を超えていると判定された場合に、当該放送番組を前記番組選択リストの作成対象から除外する除外手段と
を備えることを特徴とする請求項９〜１２の何れかに記載の携帯電話機。
【発明の詳細な説明】
【技術分野】
【０００１】
本発明は、放送受信機能付き携帯電話機に関し、特に放送番組を選局するための技術に関する。
【背景技術】
【０００２】
近年、携帯電話機の急速な多機能化に伴い、テレビやラジオ放送を受信できる放送受信機能を有する携帯電話機が利用できるようになってきた。
ユーザーは、放送受信可能なところであれば何処でも、携帯電話機の操作部のキー操作により、受信を希望する放送番組を選択し、ラジオを聴取したり、テレビを視聴したりすることができる。
【０００３】
特許文献１には、放送されている複数の放送番組の中から効率よく希望の放送番組を選択するための技術が開示されている。
具体的には、各放送番組がオーディオデータと共に番組タイプデータを含んでいる複数の放送番組を、それらが多重化された放送電波で受信する放送受信機において、（ａ）ユーザーが検索を希望する検索希望番組タイプを指定するための検索希望番組タイプ指定手段、及び（ｂ）前記検索希望番組タイプ指定手段により指定された検索希望番組タイプに一致する番組タイプの放送番組を検索する放送番組検索手段、を有していることを特徴とする放送受信機が開示されている。
【０００４】
これにより、ユーザーは、放送番組をスピーカから１個ずつ流して、目的の放送番組を捜すことなく、検索希望の番組タイプを検索希望番組タイプ指定手段において指定するだけで、検索希望の番組タイプの放送番組を検索することができるので、希望の放送番組を効率的に捜し出して選択することができる。
【特許文献１】特開平10-107669
【発明の開示】
【発明が解決しようとする課題】
【０００５】
しかしながら、上記の従来技術による放送番組の選択方法においては、選択された放送番組の受信状態は、考慮されること無く、放送番組の選択が行なわれるため、ユーザーが選択された放送番組を選局して受信してみると、受信状態が悪い場合がある。このような場合、ユーザーは、せっかく選択した放送番組を楽しめなかったり、選択された放送番組が複数ある場合には、受信状態の良い放送番組を探し出すために、１つ１つ選択された放送番組の受信状態を調べなければならないという問題が生じる。このような問題は、特に移動に伴い、放送の受信地域が変動することが多い放送受信機能を有する携帯電話機などの携帯型の装置において、生じやすい。
【０００６】
そこで、上記課題を解決するために、本発明は、受信レベルに基づいて放送番組を選択するための放送番組選択リストを提供することが可能な放送受信機能付き携帯電話機を提供することを目的とする。
【課題を解決するための手段】
【０００７】
上記課題を解決するために、本発明は、放送を受信する放送受信機能を有する携帯電話機であって、放送番組の選択条件の入力を受取る受取手段と、前記選択条件を満たす放送番組を特定する特定手段と、特定された放送番組を放送する放送局から送信される放送波の受信レベルを測定する測定手段と、測定された受信レベルに基づいて番組選択リストを作成する作成手段とを備える
【発明の効果】
【０００８】
本発明は、上記の構成を備えることにより、受信レベルに基づいて放送番組を選択するための放送番組選択リストを提供することができる。
ここで、前記作成手段は、測定された受信レベルが、複数の閾値との大小関係に基づいて定められた複数の受信レベルのランクのうちのどのランクに該当するかを決定する受信レベルランク決定手段を有し、前記作成手段は、特定された放送番組と当該放送番組について決定した受信レベルのランクとの対応関係を示す番組選択リストを作成し、前記携帯電話機は、作成された番組選択リストを表示する表示手段を備えることとしてもよい。
【０００９】
これにより、選択対象となるユーザー所望の各放送番組の受信レベルが選局前に表示されるので、ユーザーは、選択対象の中から受信状態の良好な放送番組を迅速に選択することができる。
ここで、前記携帯電話機は、位置情報を監視する位置情報監視手段を備え、位置情報が変わる毎に、前記測定手段は、前記受信レベルを測定し、前記受信レベルランク決定手段は、その測定された受信レベルに基づいて、当該受信レベルのランクを決定し、前記作成手段は、特定された放送番組について受信レベルのランクをその決定されたものに更新して番組選択リストを作成することとしてもよい。
【００１０】
これにより、場所を移動する毎に、選択対象となる各放送番組の受信レベルが新に移動した場所における受信レベルに自動的に更新されて表示されるので、ユーザーは、新に移動した場所において、視聴している放送を受信レベルの良好なものに切替えたり、新に移動した場所において、受信状態の良好な放送番組を容易に選択することができる。
ここで、前記特定手段は、前記選択条件を満たす放送番組の検索を、各放送局の放送番組を特定する放送番組情報を登録している外部の放送番組検索サーバに依頼する検索依頼手段を有し、前記特定手段は、依頼に応じて、前記放送番組検索サーバから送信された検索結果に基づいて前記選択条件を満たす放送番組を特定することとしてもよい。
【００１１】
又、前記特定手段は、外部から放送番組を特定する放送番組情報を取得する取得手段と、取得した放送番組情報の中から前記選択条件を満たす放送番組情報を検索する検索手段とを有し、前記特定手段は、検索した放送番組情報に基づいて前記選択条件を満たす放送番組を特定することとしてもよい。
これにより、各放送局の放送する放送番組の中から、選択条件を満たす放送番組を検索することができるので、ユーザー所望の放送番組を容易に特定することができる。
【００１２】
ここで、前記選択条件は、選択すべき放送番組の属性又は検索すべき放送時間範囲を特定し、前記放送番組情報は、各放送局の放送番組の属性と放送時間帯と放送周波数との対応関係を示す情報であることとしてもよい。
これにより、ユーザーは、自己の所望する放送番組を、ジャンルや放送番組に登場するアーティスト名などを指定することができるので、番組表を参照したり、実際に選局して自己の所望する放送番組が放送されているか否かを一々確認する操作を繰り返すことなく、容易に自己の所望する放送番組を選択して受信することができる。
【００１３】
ここで、前記携帯電話機は、記録媒体と、前記記録媒体のメモリ空容量を監視する監視手段と、前記メモリ空容量に基づいて、放送番組の記録可能時間を算出する算出手段と、特定された放送番組の放送時間が前記記録可能時間を超えるか否かを判定する放送時間判定手段と、前記記録可能時間を超えていると判定された場合に、当該放送番組を前記番組選択リストの作成対象から除外する除外手段とを備えることとしてもよい。
【００１４】
これにより、メモリに記録しきれない放送番組は、予め選択対象から除外することができるので、ユーザーは、選択対象となる放送番組の中から、残存するメモリ容量の範囲内で良好な受信レベルで記録することができる放送番組を容易に選択することができる。
ここで、前記携帯電話機は、電話番号を入力するための番号キーと、特定された各放送番組の受信指示の入力を、当該放送番組について決定された受信レベルのランクの高い順に優先的に番号が小さい番号キーを、番号の小さい順に割当てるキー割当て手段と、キー押下時間に応じて番号キーからの入力が電話番号入力であるか、放送番組の受信指示入力であるかを判別するキー入力判別手段とを備えることとしてもよい。
【００１５】
これにより、受信レベルの良好な順に、番組を選局するためのキーが特定の番号キーに順番づけられて割当てられるので、ユーザーは、迅速に受信レベルの良好な選局キーを識別して選局することができる。又、キー入力の指示をキー押下時間により切り替えることができるので、ユーザーは、同じキーを介して選局入力と電話番号入力とを容易に切り替えることができる。
【００１６】
ここで、前記作成手段は、測定された受信レベルが閾値より大きいか否かを判定する判定手段を有し、前記作成手段は、特定された放送番組の内、測定された受信レベルが閾値より大きいと判定された放送局の放送番組のみを含む番組選択リストを作成し、前記携帯電話機は、作成された番組選択リストを表示する表示手段を備えることとしてもよい。
これにより、選択対象となるユーザー所望の各放送番組のうち、受信レベルが所定のレベルを超える放送番組のみが選局前に表示されるので、ユーザーは、表示された選択対象の中から受信状態の良好な放送番組を迅速に選択することができる。
【００１７】
ここで、前記携帯電話機は、位置情報を監視する位置情報監視手段を備え、位置情報が変わる毎に、前記測定手段は、前記受信レベルを測定し、前記判定手段は、その測定された受信レベルが閾値より大きいか否かを判定し、前記作成手段は、直前に作成した番組選択リストを、特定された放送番組の内、その測定された受信レベルが閾値より大きいと判定された放送局の放送番組のみを含む番組選択リストに更新し、前記表示手段は、更新された番組選択リストを表示することとしてもよい。
【００１８】
これにより、場所を移動する毎に、選択対象となる各放送番組のうち、受信レベルが新に移動した場所において、所定の受信レベルを超える放送番組のみが自動的に更新されて表示されるので、ユーザーは、新に移動した場所において、視聴している放送を受信レベルの良好なものに切替えたり、新に移動した場所において、受信状態の良好な放送番組を容易に選択することができる。
【００１９】
ここで、前記選択条件は、選択すべき放送番組の属性又は検索すべき放送時間範囲を特定し、前記特定手段は、各放送局の放送番組の属性と放送時間帯と放送周波数との関係を示す放送番組情報を登録している外部の放送番組検索サーバに、前記選択条件を満たす放送番組情報の検索を依頼する依頼手段と、前記外部サーバから、検索された前記放送番組情報を取得する取得手段とを有し、
前記特定手段は、前記放送番組情報の示す放送番組を、前記選択条件を満たす放送番組として特定し、前記作成手段は、特定された放送番組の内、測定された受信レベルが閾値より大きいと判定された放送局の放送番組の属性と放送時間帯と放送周波数との関係を示す放送番組情報を番組選択リストとして作成することとしてもよい。
【００２０】
これにより、ユーザーは、自己の所望する放送番組を、ジャンルや放送番組に登場するアーティスト名などを指定することができるので、番組表を参照したり、実際に選局して自己の所望する放送番組が放送されているか否かを一々確認する操作を繰り返すことなく、容易に自己の所望する放送番組を選択して受信することができる。
ここで、前記携帯電話機は、記録媒体と、前記記録媒体のメモリ空容量を監視する監視手段と、前記メモリ空容量に基づいて、放送番組の記録可能時間を算出する算出手段と、特定された放送番組の放送時間が前記記録可能時間を超えるか否かを判定する放送時間判定手段と、前記記録可能時間を超えていると判定された場合に、当該放送番組を前記番組選択リストの作成対象から除外する除外手段とを備えることとしてもよい。
【００２１】
これにより、メモリに記録しきれない放送番組は、予め選択対象から除外することができるので、ユーザーは、選択対象となる放送番組の中から、残存メモリ容量の範囲内で良好な受信レベルで記録することができる放送番組を容易に選択することができる。
【発明を実施するための最良の形態】
【００２２】
（実施の形態１）
＜構成＞
図１は、本発明の実施の形態１における携帯電話機１００の構成を示す機能ブロック図である。携帯電話機１００は、図１に示す通り、アンテナ１０１、無線部１０２、操作部１０３、表示部１０４、制御部１０５、メモリ１０６、音声処理部１０７、マイク１０８、スピーカー１０９、イヤホン１１０、ラジオ受信部１１１、電界強度測定部１１２、ラジオ受信アンテナ１１３から構成される。
【００２３】
無線部１０２は、アンテナ１０１を介して、基地局（図外）から送信された位置情報や音声信号や文字データ、画像データを含む通信信号を受信し、復調処理して、制御部１０５に出力し、制御部１０５より入力される制御データや音声データ、文字データ、画像データなどの各種データを変調処理し、アンテナ１０１を介して基地局に送信する。
ここで、「位置情報」とは、第二世代コードレス電話システム標準規格ＲＣＲ−ＳＴＤ−２８（ＲＥＳＥＡＲＣＨ ＡＮＤ ＤＥＶＥＬＯＰＭＥＮＴ ＲＡＤＩＯ ＳＹＳＴＥＭ ＳＴＡＮＤＡＲＤ−２８）に規定された報知メッセージのことをいい、位置情報には、送信元の基地局を識別する基地局識別子、当該基地局が属する呼出エリアを識別するためのエリア番号などが含まれている。
【００２４】
操作部１０３は、各種のユーザー指示を入力するための、選択キーや０番〜９番までの番号キーなどの各種キーを含み、各種キーを介してユーザーからの各種指示を受取り、制御部１０５に出力する。例えば、ユーザーから後述するラジオ放送番組選択処理を開始させるための選局モード起動指示、選局方法の選択指示、選局条件の選択指示、再生すべき放送番組の指定などの各種指示を受取り、制御部１０５に出力する。
【００２５】
表示部１０４は、制御部１０５より入力された文字データ、画像データに基づいて、文字や画像を表示する。
具体的には、後述する、選局方法選択画面、選局条件入力画面、番組選択リストなどを表示する。
メモリ１０６は、位置情報、放送番組検索サーバのIPアドレス、閾値１、閾値２を記憶している。
【００２６】
ここで、「放送番組検索サーバ」とは、所定期間内に放送される各放送番組の属性（例えば、放送番組の属するジャンル、放送番組に登場するアーティスト名など）、番組名、放送時間帯、当該放送番組を放送する放送局の周波数などから構成される番組情報を記憶しているデータベースに接続され、携帯電話機１００を介して送信される選局条件に応じて、当該選局条件を満たす放送番組をデータベースから検索し、検索結果を放送番組情報として携帯電話機１００に送信するサーバのことをいい、放送番組検索サーバと、携帯電話機１００とは、電機通信回線で接続されている。
【００２７】
又、「放送番組情報」とは、検索された放送番組を特定するための情報のことをいい、具体的には、検索された放送番組の番組名、放送時間帯、当該放送番組を放送する放送局の周波数とから構成される。
又、「閾値１」及び「閾値２」は、検索された各放送番組を放送する放送局からの放送波の電界強度によって示される受信レベルをランク付けするために予め設定されている閾値であり、閾値１と閾値２とは、閾値１＞閾値２の関係になるように設定されている。
【００２８】
音声処理部１０７は、ラジオ受信部１１１より入力された音声信号を、Ｄ／Ａ変換してイヤホン１１０に出力し、マイク１０８から入力された音声信号をＡ／Ｄ変換して制御部１０５に出力する。
又、音声処理部１０７は、制御部１０５から入力された音声データをＤ／Ａ変換してスピーカー１０９に出力する。
ラジオ受信部１１１は、制御部１０５から指示された受信周波数の放送波をラジオ受信アンテナ１１３を介して受信し、電界強度測定部１１２及び音声処理部１０７に出力する。
【００２９】
電界強度測定部１１２は、ラジオ受信部１１１から入力された放送波の電界強度を測定し、測定結果を制御部１０５に出力する。
制御部１０５は、マイクロプロセッサとＲＯＭ（Read Only Memory）及びＲＡＭ（Random Access Memory）、などから構成され、ＲＯＭに格納されている制御プログラムに従って、後述するラジオ放送番組選択処理及び以下に示す位置情報の監視処理を行なう。
【００３０】
制御部１０５は、無線部１０２を介して取得した位置情報をメモリ１０６に記憶している位置情報と比較し、位置情報が一致しない場合には、メモリ１０６に記憶している位置情報を取得した位置情報に更新する。
＜動作＞
（ラジオ放送番組選択処理）
図８は、制御部１０５の行なうラジオ放送番組選択処理の動作を示すフローチャートである。以下、図８を参照して上記動作について説明する。
【００３１】
制御部１０５は、操作部１０３を介して、ユーザーから選局モード起動指示を受取ると、選局モードを起動し（ステップＳ１５０１）、位置登録している基地局より送信される位置情報を、無線部１０２を介して取得し（ステップＳ１５０２）、取得した位置情報をメモリ１０６に記録し、メモリ１０６に記憶されている放送番組検索サーバのIPアドレスを読出し、当該ＩＰアドレスの放送番組検索サーバに無線部１０２を介して接続し、選局方法選択画面の取得要求をし、当該取得要求に応じて当該放送番組検索サーバから送信された、選局方法を入力するための、ＧＵＩ(Graphical User Interface)表示の選局方法選択画面を無線部１０２を介して取得し、取得した選局方法選択画面を表示部１０４に表示させる（ステップＳ１５０３）。
【００３２】
図２は、表示部１０４に表示される選局方法選択画面の具体例を示す。図２（ａ）は、選局方法として選択される項目を表示する画面を示す。図２（ａ）に表示されている各選局方法の項目を表す文字列は、ＧＵＩとして表示されている。
ここで、選局方法として選択される項目は、放送番組の属性（例えば、放送番組の属するジャンル、放送番組に登場するアーティスト名、放送時間など）に関するものである。
【００３３】
操作部１０３を介して、ユーザーからの選局方法の選択指示の入力により、選局方法の指定を受取ると（ステップＳ１５０４）、制御部１０５は、当該指定を、無線部１０２を介して放送番組検索サーバに通知し、当該通知に応じて放送番組検索サーバから送信された、選局条件を入力するための、ＧＵＩ表示の選局条件入力画面を、無線部１０２を介して取得して、表示部１０４に取得した選局条件入力画面を表示させる（ステップＳ１５０５）。
【００３４】
図３は、選局条件入力画面の具体例を示す。図３（ａ）は、図２（ａ）に示す選局方法選択画面において、「ジャンル選局」が選択された場合に、表示部１０４に表示される選局条件入力画面の具体例を示している。
図３（ｂ）は、図２（ａ）に示す選局方法選択画面において、「オンエア選局」が選択された場合に、表示部１０４に表示される選局条件入力画面の具体例を示している。
【００３５】
ここで、「オンエア選局」とは、選局方法の選択時点において、放送されている放送番組における各コンテンツの放送スケジュール（例えば、その放送番組が音楽番組である場合に、当該音楽番組において放送される曲の内容とアーティスト名、当該曲の放送時間帯、放送番組を放送する放送局の周波数、放送番組名）を示す情報（以下、「生放送情報」という。）を各放送局から、放送番組検索サーバを介して取得し、取得した生放送情報に基いて選局を行なうことをいう。
【００３６】
図３（ｃ）は、生放送情報の具体例を示す。
なお、「アーティスト名選局」が選択された場合の選局条件入力画面の具体例については、図３（ａ）において、ジャンル名がアーティスト名に変更すれば、図３（ａ）における表示例と同様であるので、具体例の図示を省略する。
図３（ｄ）は、図２（ａ）において、「ジャンル選局」又は「アーティスト選局」の何れかが選択された場合に、表示部１０４に表示される検索する放送時間の範囲を指示するための選局条件入力画面の具体例を示す。
【００３７】
次に、制御部１０５は、操作部１０３を介して、ユーザーから選局条件（ジャンル名若しくはアーティスト名及び検索する放送時間の範囲、又は生放送情報を取得すべき放送局）の入力があると（ステップＳ１５０６）、当該選局条件を無線部１０２を介して放送番組検索サーバに送信して、当該選局条件を満たす放送番組の検索を要求し、要求に応じて放送番組検索サーバから送信された、当該選局条件を満たす放送番組の放送番組情報を取得し、取得した放送番組情報に基いて当該選局条件を満たす放送番組を特定し（ステップＳ１５０７）、特定した放送番組について、後述する番組選択リスト作成処理を行い（ステップＳ１５０８）、無線部１０２を介して取得した位置情報とメモリ１０６に記憶している位置情報とを比較し、位置情報が一致するか否かにより位置情報に変更があったか否かを判定する。
【００３８】
位置情報が一致せず、位置情報に変更があったと判定した場合（ステップＳ１５０９：Ｎ）には、位置情報が変更されたと判定し（ステップＳ１５０９：Ｙ）、メモリ１０６に記憶されている位置情報を取得した位置情報に更新するとともに、ステップＳ１５０８の処理を繰り返し、番組選択リストを更新する。
ステップＳ１５０９において、位置情報が一致し、位置情報に変更がないと判定した場合（ステップＳ１５０９：Ｎ）、ステップＳ１５０８の処理の実行により、表示部１０４に表示されている番組選択リストから、再生すべき放送番組の指定をユーザーから操作部１０３を介して受取ると（ステップＳ１５１０）、制御部１０５は、ラジオ受信部１１１に指定された放送番組の受信周波数の放送波を受信させ（ステップＳ１５１１）、音声処理部１０７を介して受信させた放送波を再生する（ステップＳ１５１２）。
【００３９】
次に制御部１０５の行なう番組選択リスト作成処理の動作について説明する。
図４は、上記動作を示すフローチャートである。以下、図４を参照して上記動作について説明する。
制御部１０５は、図８のステップＳ１５０７において取得した各放送番組情報の示す放送番組を放送する放送局の周波数の放送波の受信をラジオ受信部１１１に指示し、電界強度測定部１１２にラジオ受信部１１１から入力された当該放送波の電界強度を測定させることにより、当該放送波の受信レベルを測定させ（ステップＳ７０１）、測定結果を電界強度測定部１１２から受取り、測定結果の示す電界強度がメモリ１０６に記憶されている閾値１を超えるか否かを判定する（ステップＳ７０２）。
【００４０】
電界強度が閾値１を超える場合（ステップＳ７０２：Ｙ）、制御部１０５は、当該放送波の受信レベルを「Ａランク」と判定し（ステップＳ７０４）、当該放送波の受信周波数を示す放送番組情報と判定結果とを対応付けて番組選択情報として保持し、取得した放送番組情報の示す放送局の周波数全てについて、受信レベルの判定を終了したか否かを判定する（ステップＳ７０７）。
【００４１】
受信レベルの判定を終了している場合（ステップＳ７０７：Ｙ）、制御部１０５は、保持している番組選択情報に基づいて、番組選択情報のリストである番組選択リストを作成し（ステップＳ７０８）、表示部１０４に表示させる（ステップＳ７０９）。
ステップＳ７０７において、受信レベルの判定を終了していない場合（ステップＳ７０７：Ｎ）、制御部１０５は、ステップＳ７０１の処理に移行する。
【００４２】
ステップＳ７０２において、電界強度が閾値１を超えない場合（ステップＳ７０２：Ｎ）、制御部１０５は、電界強度が閾値２を超えるか否かを判定する。（ステップＳ７０３）。
電界強度が閾値２を超える場合（ステップＳ７０３：Ｙ）、制御部１０５は、当該放送波の受信レベルを「Ｂランク」と判定し（ステップＳ７０５）、当該放送波の受信周波数を示す放送番組情報と判定結果とを対応付けて番組選択情報として保持し、ステップＳ７０７の処理に移行する。
【００４３】
ステップＳ７０３において、電界強度が閾値２を超えない場合（ステップＳ７０３：Ｎ）、制御部１０５は、当該放送波の受信レベルを「Ｃランク」と判定し（ステップＳ７０６）、当該放送波の受信周波数を示す放送番組情報と判定結果とを対応付けて番組選択情報として保持し、ステップＳ７０７の処理に移行する。
図５（ａ）は、番組選択リストの具体例を示す。
（実施の形態２）
実施の形態１においては、放送番組検索サーバによって検索された、選局条件を満たす放送番組情報を受信レベルのランクとともに全て番組選択リストとして表示させることとしたが、実施の形態２においては、検索された放送番組情報の内、放送の受信レベルが閾値を超えない放送番組情報を番組選択リストから削除して表示させる点において相違する。以下、相違点を中心に説明する。
＜構成＞
図６は、本発明の実施の形態２における携帯電話機２００の構成を示す機能ブロック図である。携帯電話機２００は、実施の形態１における携帯電話機１００の構成と制御部２０５及びメモリ２０６のみ相違し、その他の構成要素は、携帯電話機１００の構成要素と同一である。
【００４４】
メモリ２０６は、位置情報、放送番組検索サーバのIPアドレス、閾値を記憶している。
＜動作＞
制御部２０５の行なうラジオ放送選択処理の動作は、実施の形態１における制御部１０５の行なうラジオ放送番組選択処理の動作と番組選択リスト作成処理において相違する。以下、制御部２０５の行なう番組リスト作成処理の動作について説明する。
【００４５】
図７は、上記動作を示すフローチャートである。以下、図７を参照して上記動作について説明する。
制御部２０５は、図８のステップＳ１５０７において取得した各放送番組情報の示す放送番組を放送する放送局の周波数の放送波の受信をラジオ受信部１１１に指示し、電界強度測定部１１２にラジオ受信部１１１から入力された当該放送波の電界強度を測定させることにより、当該放送波の受信レベルを測定させ（ステップＳ１１０１）、測定結果を電界強度測定部１１２から受取り、測定結果の示す電界強度がメモリ１０６に記憶されている閾値を超えるか否かを判定する（ステップＳ１１０２）。
【００４６】
電界強度が閾値を超える場合（ステップＳ１１０２：Ｙ）、制御部２０５は、当該放送番組情報を番組選択リストの表示対象として保持し（ステップＳ１１０３）、取得した放送番組情報の示す放送局の周波数全てについて、受信レベルの判定を終了したか否かを判定する（ステップＳ１１０５）。
受信レベルの判定を終了している場合（ステップＳ１１０５：Ｙ）、制御部２０５は、保持している放送番組情報に基いて番組選択リストを作成し（ステップＳ１１０６）、当該番組選択リストを表示部１０４に表示させる（ステップＳ１１０７）。
【００４７】
ステップＳ１１０５において、受信レベルの判定を終了していない場合（ステップＳ１１０５：Ｎ）、制御部２０５は、ステップＳ１１０１の処理に移行する。
ステップＳ１１０２において、電界強度が閾値を超えない場合（ステップＳ１１０２：Ｎ）、当該放送番組情報を番組選択リストの表示対象から除外し（ステップＳ１１０４）、ステップＳ１１０５の処理に移行する。
【００４８】
図５（ｂ）は、上記番組選択リスト作成処理によって作成された番組選択リストの具体例を示す。図５（ｂ）は、における番組選択リストの表示対象となっているものと同一の放送番組情報に対して、閾値を実施の形態１における閾値１として実施の形態２における番組選択リスト作成処理を行なった場合に表示部１０４に表示される番組選択リストを示している。図５（ｂ）では、において受信レベルがＡランクで、閾値１を超える放送番組「クラシックＡ」と「クラシックＢ」に係る放送番組情報のみが番組選択リストに表示され、で表示されている他の放送番組情報（クラシックＣ、Ｄ、Ｅに係る放送番組情報）は、受信レベルが閾値１を超えないため、番組選択リストの表示対象から除外されている。
＜補足＞
以上、本発明に係る携帯電話機１００及び２００について、実施の形態に基づいて説明したが、本発明はこれら実施の形態に限られないことは勿論である。（１）例えば、本実施の形態１及び２において、制御部１０５がメモリ１０６の空容量を、制御部２０５が、メモリ２０６の空容量をそれぞれ監視することとし、番組選択リスト作成処理の起動時におけるメモリ１０６又はメモリ２０６の空容量に応じて、放送番組検索サーバから取得した放送番組情報の示す放送時間分の放送を記録可能か否かを判定し、記録可能でない放送時間を示す放送番組情報については、受信レベルの測定対象から除外することとしてもよい。
【００４９】
具体的には、制御部１０５及び２０５は、図８のステップＳ１５０４において、選局方法の指定をユーザーから受取った後に、図２（ｂ）に示すようなＧＵＩ表示の録音モード選択画面を表示部１０４に表示させ、録音モード選択画面を介してユーザーからの選択入力を受取ることとし、録音モードが選択された場合に、制御部１０５は、図９に示す番組選択リスト作成処理の動作を、制御部２０５は、図１０に示す番組選択リスト作成処理の動作をそれぞれ行なうこととしてもよい。
【００５０】
図９に示す番組選択リスト作成処理の動作と図４に示す実施の形態１における番組選択リスト作成処理とは、図９においては、図４に示す各処理に加え、ステップＳ９０１〜Ｓ９０５の処理が行なわれる点において相違する。
以下、相違点について説明すると、制御部１０５は、図８のステップＳ１５０７において検索された各放送番組情報を取得すると、取得時におけるメモリ空容量を取得し（ステップＳ９０１）、取得したメモリ空容量と、予め設定された放送番組を単位時間当たりに記録するのに要するメモリ所要量とに基づいて、放送番組をメモリ空容量に記録可能な記録可能時間を算出し（ステップＳ９０２）、取得した放送番組情報の示す放送時間帯に基づいて、放送時間を算出し、算出した記録可能時間と放送時間との大小関係を比較することにより、当該放送時間は、記録可能時間内か否かを判定する（ステップＳ９０３）。
【００５１】
当該放送時間が記録可能時間より大きくなく、記録可能時間内である場合（ステップＳ９０３：Ｙ）、制御部１０５は、ステップＳ９０６の処理に移行し、当該放送時間が記録可能時間よりも大きく、記録可能時間内でない場合（ステップＳ９０３：Ｎ）、当該放送時間を示す放送番組情報については、放送波の受信レベル測定対象から除外して、番組リスト作成対象から除外し（ステップＳ９０４）、取得した各放送番組情報の示す全ての放送時間について、ステップＳ９０３の判定を終了したか否かを判定し（ステップＳ９０５）、終了した場合（ステップＳ９０５：Ｙ）、ステップＳ９０６の処理に移行し、終了していない場合（ステップＳ９０５：Ｎ）、取得した次の放送番組情報について、ステップＳ９０３の処理を行なう。
【００５２】
同様に、図１０に示す番組選択リスト作成処理の動作と図７に示す実施の形態２における番組選択リスト作成処理とは、図１０においては、図７に示す各処理に加え、ステップＳ１３０１〜Ｓ１３０５の処理が行なわれる点において相違する。
なお、制御部２０５の行なうステップＳ１３０１〜Ｓ１３０５の処理は、制御部１０５の行なうステップＳ９０１〜Ｓ９０５の処理と同様であるため、説明を省略する。
【００５３】
図５（ｃ）は、図９に示す番組選択リスト作成処理によって作成された番組選択リストの具体例を示す。図５（ｃ）は、図５（ａ）における番組選択リストの表示対象となっているものと同一の放送番組情報に対して、ステップＳ９０３における記録可能時間を３０分として図９に示す番組選択リスト作成処理を行なった場合に表示部１０４に表示される番組選択リストの具体例を示している。
【００５４】
同様に図５（ｄ）は、図１０に示す番組選択リスト作成処理によって作成された番組選択リストの具体例を示す。図５（ｄ）は、図５（ａ）における番組選択リストの表示対象となっているものと同一の放送番組情報に対して、ステップＳ１３０３における記録可能時間を３０分とし、ステップＳ１３０６における閾値を閾値１として図１０に示す番組選択リスト作成処理を行なった場合に表示部１０４に表示される番組選択リストの具体例を示している。
（２）又、実施の形態１において作成された番組選択リストに含まれる各放送番組の周波数の放送波の受信指示を入力するためのキーを受信レベルのランクが高い順（Ａ、Ｂ、Ｃの順）に優先的に番号が小さい番号キーに割当てることとしてもよい。
【００５５】
具体的には、制御部１０５は、番号キーの１番に、受信レベルのランクが番組選択リストに含まれる放送番組の中で最も高い周波数の受信指示の入力操作を対応付け、番号キーの２番に、受信レベルのランクが番号キーの１番に割当てたものと同ランク、同ランクのものがない場合には、次のランクに該当する放送番組の周波数の受信指示の入力操作を対応付けるというように、番号キーの番号の昇順に、受信レベルのランクが高いものの周波数の受信指示を順番に割当てる。
【００５６】
なお、上記において、受信レベルの同ランクの放送番組が複数、番組選択リストに含まれる場合には、制御部１０５は、例えば、当該放送番組の放送周波数の大小関係によって、割当てる受信指示を決定するものとする。
又、割当てる番号キーは、０番から９番までの番号キーであってもよいし、０番を除いて、１番から９番までの番号キーであってもよい。
【００５７】
又、上記の割当てを行なった場合におけるラジオ受信指示と電話番号入力の切り替えは、例えば番号キーを押下する時間によって切り替えることとしてもよい。
具体的には、番号キーの押下時間が所定時間より短い場合には、制御部１０５は、番号キーからの入力を通常の電話番号入力と判定して、番号キーからの入力を受取り、番号キーの押下時間が所定時間以上の場合には、制御部１０５は、番号キーからの入力を、ラジオ受信指示の入力と判定して、番号キーからの入力を受取ることとしてもよい。
（３）又、実施の形態１においては、番組選択リスト作成処理において、受信レベルのランクは３段階としたが、当該ランクは、３段階に限らず２段階であってもよいし、４段階以上であってもよい。
（４）又、実施の形態１及び２において、ラジオ受信部１１１がラジオ受信部１１１が受信する放送波は、ＦＭ電波であってもよいし、ＡＭ電波であってもよい。
（５）又、本実施の形態１及び２においては、携帯電話機１００及び２００は、ラジオ放送について、ラジオ放送番組選択処理処理を行なうとしたが、テレビ放送についてもそれぞれ同様の処理を行なうこととしてもよい。
（６）又、本実施の形態１及び２においては、図８に示すラジオ放送番組選択処理において、位置情報が変更される毎に番組選択リスト作成処理を行い、番組選択リストの更新を行なうこととしたが、予め設定した時間間隔で番組選択リスト作成処理を行い、定期的に番組選択リストを更新することとしてもよい。
（７）又、本実施の形態１においては、番組選択リストの表示において、受信レベルのランク表示を文字表示としているが、ランク表示は、文字表示に限らず例えば、色でランク分け表示を行なってもよいし、イラストでランク分け表示をしてもよいし、棒グラフの画像表示における棒の長さでランク分けで表示してもよいし、文字の大きさでランク分け表示をしてもよい。
（８）又、本実施の形態１及び２において、番組選択リストの表示は、表示部の画面全体に表示することとしてもよいし、表示部の画面の一部に表示することとしてもよい。又、表示部が複数ある場合には、そのうちの１つの表示部のみに表示することとしてもよい。
（９）又、本実施の形態１及び２において、放送番組情報を放送番組検索サーバから取得し、取得した放送番組情報に基いて選局条件を満たす放送番組を特定することとしたが、上記の特定方法に限らず、例えば、放送番組の番組名、放送時間帯、当該放送番組を放送する放送局の周波数等の情報を含む電子番組表を、放送番組とともに放送波に含めて放送局から送信することとし、制御部１０５又は２０５は、ラジオ受信部１１１を介して上記放送波を受信し、受信した放送波から電子番組表を抽出し、抽出した電子番組表に含まれる情報に基づいて、選択条件を満たす各放送番組を特定する放送番組情報を取得し、取得した放送番組情報に基いて、選局条件を満たす放送番組を特定することとしてもよいし、インターネットを介して放送番組情報を提供するサーバに接続して、サーバから放送番組情報を取得し、取得した放送番組情報に基いて、選局条件を満たす放送番組を特定することとしてもよい。
（１０）又、本実施の形態１及び２において、制御部１０５又は２０５は、位置情報の監視処理を基地局からの位置情報に基いて行なうこととしたが、携帯電話機１００又は２００にＧＰＳを備えることとし、ＧＰＳから携帯電話機本体の位置情報を所定の時間間隔で取得し、直前に取得した位置情報と比較することにより、位置情報に変更があったか否かを判定し、図８のステップＳ１５０９に相当する処理を行なうこととしてもよい。
【産業上の利用可能性】
【００５８】
放送受信機能付き携帯電話機において、簡易に放送番組を選局するための技術として利用できる。
【図面の簡単な説明】
【００５９】
【図１】本発明の実施の形態１における携帯電話機１００の構成を示す機能ブロック図である。
【図２】表示部１０４に表示される選局方法選択画面の具体例を示す。
【図３】選局条件入力画面の具体例を示す。
【図４】制御部１０５の行なう番組選択リスト作成処理の動作を示すフローチャートである。
【図５】番組選択リストの具体例を示す。
【図６】本発明の実施の形態２における携帯電話機２００の構成を示す機能ブロック図である。
【図７】実施の形態２における番組選択リスト作成処理の動作を示すフローチャートである。
【図８】制御部１０５の行なうラジオ放送番組選択処理の動作を示すフローチャートである。
【図９】実施の形態１における番組選択リスト作成処理の動作の変形例を示す。
【図１０】実施の形態２における番組選択リスト作成処理の動作の変形例を示す。
【符号の説明】
【００６０】
１００、２００  携帯電話機
１０１    アンテナ
１０２    無線部
１０３    操作部
１０４    表示部
１０５、２０５  制御部
１０６、２０６  メモリ
１０７    音声処理部
１０８    マイク
１０９    スピーカ
１１０    イヤホン
１１１    ラジオ受信部
１１２    電界強度測定部
１１３    ラジオ受信アンテナ
【図１】
2005323112.tif 000003
【図２】
2005323112.tif 000004
【図３】
2005323112.tif 000005
【図４】
2005323112.tif 000006
【図５】
2005323112.tif 000007
【図６】
2005323112.tif 000008
【図７】
2005323112.tif 000009
【図８】
2005323112.tif 000010
【図９】
2005323112.tif 000011
【図１０】
2005323112.tif 000012